【手続補正書】
【提出日】平成23年6月20日(2011.6.20)
【手続補正１】
【補正対象書類名】明細書
【補正対象項目名】００１１
【補正方法】変更
【補正の内容】
【００１１】
別の態様では、パケットデータユニット（ＰＤＵ）を構築するための少なくとも１つのプロセッサが提供される。第１のモジュールは、サービスデータユニット（ＳＤＵ）を受信し、記憶する。第２のモジュールは、構築されるべきＰＤＵの長さ値と制約値とにアクセスする。第３のモジュールは、長さ値を超えることなしに、記憶されたＳＤＵを順番に統合する。第４のモジュールは、ＰＤＵの残りの部分を制約値と比較することに基づいて、長さ値に達するように、最後のＳＤＵをセグメント化することとＰＤＵをパディングすることとのうちの一方を実行することを判断する。
【手続補正２】
【補正対象書類名】明細書
【補正対象項目名】００３０
【補正方法】変更
【補正の内容】
【００３０】
構成可能なＲＲＣパラメータ（ブロック２０２）、プロビジョニングされた（１つまたは複数の）定数（ブロック２０４）、または随意実装形態（２０６）に基づいて、次いで、ＲＬＣインスタンスのための利用可能なグラントがｍａｘ＿ｐａｄｄｉｎｇ＿ａｌｌｏｗｅｄパラメータよりも大きいかどうかの判断がブロック２０８において行われる。そうであれば、ＵＥは、セグメント化ペイロード長がｍａｘ＿ｐａｄｄｉｎｇ＿ａｌｌｏｗｅｄバイト未満であるＲＬＣ  ＳＤＵのセグメント化を回避すべきである（ブロック２１０）。このパラメータは、すべてのＲＬＣエンティティ用であるか（ブロック２１２）または無線ベアラ（ＲＢ）ベースであることができ（ブロック２１４）、データＲＢのみに有効であるか（ブロック２１６）、またはシグナリングＲＢとデータＲＢとに異なる値を必要とすることができる（ブロック２１８）。そうではなく、ブロック２０８においてＲＬＣインスタンスのための利用可能なグラントがｍａｘ＿ｐａｄｄｉｎｇ＿ａｌｌｏｗｅｄパラメータ未満の場合、２２０で示される第１の任意選択の実装形態において、ＵＥは、ｍａｘ＿ｐａｄｄｉｎｇ＿ａｌｌｏｗｅｄパラメータまたは同様のパラメータを考慮に入れることなしにグラントに従ってセグメント化する（ブロック２２２）。第１の任意選択の実装形態２２０の代替としてまたはそれに加えて実行される、２２４で示される第２の任意選択の実装形態では、ＵＥは、グラントがｍａｘ＿ｐａｄｄｉｎｇ＿ａｌｌｏｗｅｄパラメータよりも小さいときはいつでも、完全なＳＤＵまたはＲＬＣ  ＳＤＵ／ＰＤＵの最後のセグメントのみを送信する（ブロック２２６）。そのような使用の例は、ＶｏＩＰトラフィック、制御ＰＤＵ、またはセグメント化ＲＬＣ  ＳＤＵ／ＰＤＵの最後のセグメント、などであり得る。実装形態２２０、２２４の代替としてまたはそれに加えて実行される、２２８で示される第３の任意選択の実装形態では、ＵＥは、データＲＢ上のＲＬＣ  ＳＤＵではなくシグナリング無線ベアラ（Signaling Radio Bearer（ＳＲＢ））上のＲＬＣ  ＳＤＵをセグメント化するか、またはその逆をセグメント化するように構成されることができる（ブロック２３０）。上記によって、多すぎるセグメント化、さらに、上述の任意選択２２０、２２４、２２８を回避する、ＵＥからの予想される最大パディングに対するネットワーク利得制御は、非常に小さいチャンクへのＳＤＵのセグメント化を回避し、同時にパディングを最小限に抑えるために送信エンティティ（たとえば、ＵＥ）を助けることができる。
【手続補正３】
【補正対象書類名】明細書
【補正対象項目名】００３４
【補正方法】変更
【補正の内容】
【００３４】
ＲＬＣサブレイヤ３０２とＭＡＣサブレイヤ３０４との間で、すべてのＲＬＣ  ＳＤＵ（サービスデータユニット）３０６は、３０８で示されるように、ＲＬＣサブレイヤ３０２において待ち行列に入れられ、ＴＴＩタイマ３１０によってトリガされるように示される、ＲＬＣ  ＳＤＵ３０６からＰＤＵ（パケットデータユニット）を構築すべきときをＭＡＣ３０４に決定させる。ＭＡＣ３０４は、送信することがスケジュールされているとき、ＰＤＵ３１２をＲＬＣサブレイヤ３０２に要求する。ＲＬＣ３０２は、待ち行列３０８上にすべてのＳＤＵ３０６を有するので、要求３１２中でＭＡＣサブレイヤ３０４によって指定された定義されたサイズまで、できるだけ多くのデータを取り出し、そのデータからＰＤＵ３１４を構築する。各ＰＤＵ３１４を受信した後、トランスポートブロック（ＴＢ）３１８中により多くの空間が残されている場合、ＭＡＣサブレイヤ３０４は、より多くのＰＤＵ３１６を要求するかまたはパディングを追加することを決定することができる。次いで、３２０で示されるように、ＴＢが送信される。
【手続補正４】
【補正対象書類名】明細書
【補正対象項目名】００３６
【補正方法】変更
【補正の内容】
【００３６】
図５には、ＲＬＣ  ＰＤＵ構造３４０が示されている。ＲＬＣヘッダ３４２は、シーケンス番号（Sequence Number）３４４と、完全／部分（Complete/Partial（ＣＰ））フィールド３４６と、拡張ビット（Extension bit（Ｅ））３４８と、からなる。各ＲＬＣ  ＰＤＵ３４０中のＳＤＵの数に応じて、より多くのヘッダフィールドが続くことがある。１つのＳＤＵでは、これらの余分のフィールドは省略できるが、あらゆる追加のＳＤＵでは、１つの長さインジケータ（Length Indicator（ＬＩ））３５０と１つのＥビット３５２とが追加される。シーケンス番号３４４は、重複検出および上位レイヤへの順番配信のために使用されることができる。完全／部分フィールド３４６は、第２のビットが、最後のＳＤＵ３５８の末尾がセグメント化されるかどうかを示すのに対して、第１のＳＤＵ３５４の先頭がセグメント化されるかどうかを示す第１のビットを有することによって、セグメント化および連結をサポートする。Ｅビット３４８は、より多くのヘッダフィールドが続くか、またはＰＤＵの残部がＳＤＵからなるか、を示す。より多くのヘッダフィールドがある場合、第１のＳＤＵがどこで終了するか、および次のＳＤＵがどこで開始するかを示すためにＬＩ３５０が続く。ＬＩフィールド３５０の後には、別のＥビット３５２が続く。最後のＳＤＵ３５８を除いて、各ＲＬＣ  ＰＤＵ３４０中のあらゆるＳＤＵ３５６に対して１つのＬＩフィールド３５０と１つのＥビット３５２とがあるだろう。最後のＳＤＵ３５８の長さは、ＲＬＣ  ＰＤＵ３４０の長さから、すべての存在するＬＩ３５０の和を減算することによって計算されることができる。必要な場合、ＲＬＣペイロード３６２をバイト整列させるために、パディング３６０がＲＬＣヘッダ３４２に追加される。
【手続補正５】
【補正対象書類名】明細書
【補正対象項目名】００３７
【補正方法】変更
【補正の内容】
【００３７】
図６には、ＲＬＣ  ＰＤＵの構築および送信のためのプロセス３７０が示されている。ＰＤＣＰサブレイヤ３７４からＳＤＵ３７２を受信するとき、ＲＬＣサブレイヤ３７６は、受信された順序でＳＤＵ３７２をＳＤＵリスト３７８に記憶する。ＲＬＣサブレイヤ３７６中の各チャネルは、それ自体のＳＤＵリスト３７８を有し、互いに無関係に働く。ＭＡＣサブレイヤ３８０がＲＬＣチャネル３７６にデータを要求するまで、ＳＤＵ３７２は、ＲＬＣサブレイヤ３７６中にバッファされる。ＭＡＣサブレイヤ３８０は、ＭＡＣサブレイヤ３８０に送信されることができるチャネルおよびＲＬＣ  ＰＤＵの最大サイズをＲＬＣサブレイヤ３７６に伝える、３８２で示されるようにデータを要求する。特定のＲＬＣチャネルが、要求されたサイズよりも少ないデータをバッファ３７８中に有する場合、ＲＬＣチャネルのＰＤＵ構成コンポーネント３８４は、特定のチャネルに属するすべてのＳＤＵ３７２を同じＰＤＵ３８６に入れ、ＲＬＣヘッダを追加し、ＲＬＣ  ＰＤＵをＭＡＣサブレイヤに配信する。特定のＲＬＣチャネルが十分なデータを有する場合、必要ならばセグメント化を使用して、要求されたサイズのＰＤＵが構築される。
【手続補正６】
【補正対象書類名】明細書
【補正対象項目名】００３８
【補正方法】変更
【補正の内容】
【００３８】
図７には、ＲＬＣヘッダ４０４およびＲＬＣペイロード４０６の動的にサイズ決定されたＲＬＣ  ＰＤＵ４０２を構築するのにパディングが必要でないときのセグメント化のためのデータ構造４００が示されている。ＲＬＣサブレイヤは、ＭＡＣサブレイヤから要求されたＲＬＣ  ＰＤＵ長を受信したとき、ＲＬＣ  ＳＤＵ  Ｎ４０８の終端セグメントを送信しなければならないことがあり、完全なＲＬＣ  ＳＤＵ  Ｎ＋１、Ｎ＋２  ４１０、４１２を送信することが可能であることがあり、要求された長さに準拠するためにＰＤＵ４０２中の最後のＳＤＵ４１４をセグメント化しなければならないことがある。最後のＳＤＵが完全に収まるのでなければ、要求されたサイズを満たすために、最後のＳＤＵがセグメント化されるか、またはパディングが適宜に追加されるだろう。
【手続補正７】
【補正対象書類名】明細書
【補正対象項目名】００４４
【補正方法】変更
【補正の内容】
【００４４】
図８を参照すると、一態様による多元接続ワイヤレス通信システムが示されている。アクセスポイント４５０（ＡＰ）は、複数のアンテナグループを含み、あるグループは４５４と４５６とを含み、別のグループは４５８と４６０とを含み、追加のグループは４６２と４６４とを含む。図８では、アンテナグループごとに２つのアンテナのみが示されているが、アンテナグループごとにより多いまたはより少ないアンテナが利用され得る。アクセス端末（ＡＴ）４６６は、アンテナ４５４および４５６と通信中であり、ここで、アンテナ４５４および４５６は、順方向リンク４７０上でアクセス端末４６６に情報を送信し、逆方向リンク４６８上でアクセス端末４６６から情報を受信する。アクセス端末４７２は、アンテナ４５６および４５８と通信中であり、ここで、アンテナ４５６および４５８は、順方向リンク４７６上でアクセス端末４７２に情報を送信し、逆方向リンク４７４上でアクセス端末４７２から情報を受信する。ＦＤＤシステムでは、通信リンク４６８、４７０、４７４および４７６は、通信のための異なる周波数を使用し得る。たとえば、順方向リンク４７０は、逆方向リンク４６８によって使用される周波数とは異なる周波数を使用し得る。アンテナの各グループ、および／またはアンテナが通信するために設計されたエリアは、しばしば、アクセスポイント４５０のセクタと呼ばれる。本態様では、アンテナグループはそれぞれ、アクセスポイント４５０によってカバーされるエリアのセクタ内で、アクセス端末４６６、４７２に通信するように設計される。
【手続補正８】
【補正対象書類名】明細書
【補正対象項目名】００５７
【補正方法】変更
【補正の内容】
【００５７】
一態様では、論理チャネルは、制御チャネル（Control Channels）とトラフィックチャネル（Traffic Channels）とに分類される。論理制御チャネル（Logical Control Channels）は、システム制御情報をブロードキャストするためのＤＬチャネルであるブロードキャスト制御チャネル（Broadcast Control Channel（ＢＣＣＨ））と、ページング情報を転送するＤＬチャネルであるページング制御チャネル（Paging Control Channel（ＰＣＣＨ））と、１つまたは複数のＭＴＣＨについてのマルチメディアブロードキャストおよびマルチキャストサービス（Multimedia Broadcast and Multicast Service（ＭＢＭＳ））のスケジューリングおよび制御情報を送信するために使用されるポイントツーマルチポイントＤＬチャネルであるマルチキャスト制御チャネル（Multicast Control Channel（ＭＣＣＨ））と、を備える。概して、ＲＲＣ接続を確立した後、このチャネルは、ＭＢＭＳ（注：古いＭＣＣＨ＋ＭＳＣＨ）を受信するＵＥによって使用されるだけである。専用制御チャネル（Dedicated Control Channel（ＤＣＣＨ））は、専用制御情報を送信するポイントツーポイント（Point-to-point）双方向チャネルであり、ＲＲＣ接続を有するＵＥによって使用される。態様では、論理トラフィックチャネル（Logical Traffic Channels）は、ユーザ情報を転送するための１つのＵＥに専用のポイントツーポイント双方向チャネルである専用トラフィックチャネル（Dedicated Traffic Channel（ＤＴＣＨ））と、さらに、トラフィックデータを送信するためのポイントツーマルチポイントＤＬチャネルであるマルチキャストトラフィックチャネル（Multicast Traffic Channel（ＭＴＣＨ））と、を備える。
【手続補正９】
【補正対象書類名】明細書
【補正対象項目名】００６１
【補正方法】変更
【補正の内容】
【００６１】
３ＧＰＰ          第３世代パートナーシッププロジェクト
ＡＩＳ            自動識別システム（Automatic Identification System）
ＡＭ              確認応答モード（Acknowledged Mode）
ＡＭＤ            確認応答モードデータ（Acknowledged Mode Data）
ＡＲＱ            自動再送要求（Automatic Repeat Request）
ＡＳ              アクセス層（Access Stratum）
ＢＣＣＨ          ブロードキャスト制御チャネル
ＢＣＨ            ブロードキャストチャネル
ＢＬＥＲ          ブロック誤り率（Block Error Rate）
Ｃ−              制御−（Control-）
ＣＣＣＨ          共通制御チャネル
ＣＣＨ            制御チャネル（Control CHannel）
ＣＣＴｒＣＨ      符号化複合トランスポートチャネル（Coded Composite Transport Channel）
ＣＤＩ            チャネル方向情報（Channel Direction Information）
Ｃ−ＲＮＴＩ      セル無線ネットワーク一時識別情報（Cell Radio Network Temporary Identity）
ＣＰ              巡回プレフィックス（Cyclic Prefix）
ＣＲＣ            巡回冗長検査（Cyclic Redundancy Check）
ＣＴＣＨ          共通トラフィックチャネル（Common Traffic CHannel）
ＤＣＣＨ          専用制御チャネル
ＤＣＨ            専用チャネル（Dedicated CHannel）
ＤＬ              ダウンリンク（DownLink）
ＤＬ−ＳＣＨ      ダウンリンク共有チャネル（Downlink Shared CHannel）
ＤＳＣＨ          ダウンリンク共有チャネル（Downlink Shared CHannel）
ＤＴＣＨ          専用トラフィックチャネル
ｅＮＢ            進化型基本ノード（evolved Base Node）
Ｅ−ＵＴＲＡＮ    ユニバーサル移動電話サービス地上無線アクセス網（Evolved Universal Mobile Telecommunications System Terrestrial Radio Access Network）
ＦＡＣＨ          順方向リンクアクセスチャネル（Forward link Access CHannel）
ＦＤＤ            周波数分割複信（Frequency Division Duplex）
ＦＳＴＤ          周波数切替え送信ダイバーシティ（Frequency Switching Transmit Diversity）
ＦＴＳＴＤ        周波数時間切替え送信ダイバーシティ（Frequency Time Switching Transmit Diversity）
ＨＡＲＱ          ハイブリッド自動再送要求（Hybrid Automatic-Repeat-Request）
ＨＦＮ            ハイパーフレーム番号（Hyper Frame Number）
ｉ．ｉ．ｄ．      独立同分布（independent and identically distributed）
Ｌ１              Ｌａｙｅｒ１（物理レイヤ）
Ｌ２              Ｌａｙｅｒ２（データリンクレイヤ）
Ｌ３              Ｌａｙｅｒ３（ネットワークレイヤ）
ＬＩ              長さインジケータ
ＬＳＢ            最下位ビット（Least Significant Bit）
ＬＴＥ            ロングタームエボリューショ（Long Term Evolution）
ＭＡＣ            媒体アクセス制御（Medium Access Control）
ＭＢＭＳ          マルチメディアブロードキャストマルチキャストサービス（Multimedia Broadcast Multicast Service）
ＭＢＳＦＮ        マルチキャストブロードキャスト単一周波数ネットワーク（Multicast Broadcast Single Frequency Network）
ＭＣＣＨ          ＭＢＭＳポイントツーマルチポイント制御チャネル（MBMS point-to-multipoint Control Channel）
ＭＣＥ            ＭＢＭＳ調整エンティティ（MBMS Coordinating Entity）
ＭＣＨ            マルチキャストチャネル（Multicast CHannel）
ＭＩＭＯ          多入力多出力（Multiple Input Multiple Output）
ＭＭＥ            モビリティ管理エンティティ（Mobility Management Entity）
ＭＲＷ            移動受信ウィンドウ（Move Receiving Window）
ＭＳＢ            最上位ビット（Most Significant Bit）
ＭＳＣＨ          ＭＢＭＳポイントツーマルチポイントスケジューリングチャネル（MBMS point-to-multipoint Scheduling CHannel）
ＭＴＣＨ          ＭＢＭＳポイントツーマルチポイントトラフィックチャネル（MBMS point-to-multipoint Traffic CHannel）
ＮＡＳ            非アクセス層（Non-Access Stratum）
ＯＦＤＭ          直交周波数分割多重（Orthogonal Frequency Division Multiplex）
ＰＢＣＨ          物理ブロードキャストチャネル（Physical Broadcast CHannel）
ＰＣＣＨ          ページング制御チャネル（Paging Control CHannel）
ＰＣＨ            ページングチャネル（Paging CHannel）
ＰＤＣＣＨ        物理ダウンリンク制御チャネル（physical downlink control channel）
ＰＤＳＣＨ        物理ダウンリンク共有チャネル（physical downlink shared channel）
ＰＤＵ パケットデータユニット（Packet Data Unit）
ＰＦＳＴＤ        プリコード周波数切替え送信ダイバーシティ（Precoded Frequency Switching Transmit Diversity）
ＰＨＩＣＨ        物理ＨＡＲＱインジケータチャネル（Physical HARQ Indicator CHannel）
ＰＨＹ            物理レイヤ（PHYsical layer）
ＰｈｙＣＨ        物理チャネル（Physical CHannels）
ＰＳＣ            一次同期チャネル（Primary Synchronization Channel）
ＰＵＳＣＨ        物理アップリンク共有チャネル（Physical Uplink Shared Channel）
ＰＵＣＣＨ        物理アップリンク制御チャネル（Physical Uplink Control Channel）
ＰＶＳ            プリコーディングベクトルスイッチ（Precoding Vector Switch）
ＱｏＳ            サービス品質（Quality of Service）
ＲＡＣＨ          ランダムアクセスチャネル
ＲＡＮ            無線アクセスネットワーク（Radio Access Network）
ＲＬＣ            無線リンク制御
ＲＲＣ            無線リソース制御
ＲＳ              受信信号（Received Signal）
ＲＸ              受信（Receive）
ＳＣＨ            同期チャネル
ＳＡＰ            サービスアクセスポイント（Service Access Point）
ＳＦＢＣ          空間周波数ブロックコード（Space-Frequency Block-Code）
ＳＳＣ            二次同期チャネル（Secondary Synchronization Channel）
ＳＤＵ            サービスデータユニット
ＳＨＣＣＨ        共有チャネル制御チャネル（SHared channel Control CHannel）
ＳＮ              シーケンス番号（Sequence Number）
ＳＵＦＩ          スーパーフィールド（SUper FIeld）
ＴＣＨ            トラフィックチャネル（Traffic CHannel）
ＴＤＤ            時分割複信（Time Division Duplex）
ＴＦＩ            トランスポートフォーマットインジケータ（Transport Format Indicator）
ＴＭ              トランスペアレントモード（Transparent Mode）
ＴＭＤ            トランスペアレントモードデータ（Transparent Mode Data）
ＴＴＩ            送信時間間隔（Transmission Time Interval）
ＴＸ              送信（Transmit）
Ｕ−              ユーザ−（User-）
ＵＥ              ユーザ機器（User Equipment）
ＵＬ              アップリンク（UpLink）
ＵＭ              確認なしモード（Unacknowledged Mode）
ＵＭＢ            Ｕｌｔｒａ  Ｍｏｂｉｌｅ  Ｂｒｏａｄｂａｎｄ
ＵＭＤ            確認なしモードデータ（Unacknowledged Mode Data）
ＵＭＴＳ          ユニバーサル移動電話サービス（Universal Mobile Telecommunications System）
ＵＴＲＡ          ＵＭＴＳ地上無線アクセス（UMTS Terrestrial Radio Access）
ＵＴＲＡＮ        ＵＭＴＳ地上無線アクセス網（UMTS Terrestrial Radio Access Network）
ＶＴＳＴＤ        仮想時間切替え送信ダイバーシティ（Virtual Time Switching Transmit Diversity）
ＷＣＤＭＡ        広帯域符号分割多元接続（Wideband Code Division Multiple Access）
ＷＷＡＮ          ワイヤレスワイドエリアネットワーク（Wireless Wide Area Network）
図１０では、進化型基本ノード（ｅＮＢ）６００として示されるサービング無線アクセスネットワーク（ＲＡＮ）は、コンピュータにパケットデータユニット（ＰＤＵ）を復号させるためのコードのセットなどの手段を与えるコンピューティングプラットフォーム６０２を有する。特に、コンピューティングプラットフォーム６０２は、（１つまたは複数の）プロセッサ６２０によって実行される複数のモジュール６０６〜６１０を記憶するコンピュータ可読記憶媒体（たとえば、メモリ）６０４を含む。プロセッサ６２０によって制御される変調器６２２は、送信機６２４による変調のためにダウンリンク信号を準備し、ダウンリンク信号は（１つまたは複数の）アンテナ６２６によって発される。受信機６２８は、復調器６３０によって復調され、復号のためにプロセッサ６２０に与えられるアップリンク信号を（１つまたは複数の）アンテナ６２６から受信する。特に、送信エンティティからパケットデータユニット（ＰＤＵ）をワイヤレスに受信し、記憶するための手段（たとえば、モジュール、コードのセット）６０６が設けられる。送信エンティティの動作を予測することによってサービスデータユニット（ＳＤＵ）のセグメント化とパディングとを限定的に復号するための手段（たとえば、モジュール、コードのセット）６０８が設けられる。モデル６１０は、送信エンティティがＰＤＵをどのように構築するかの知識を与える。
【手続補正１０】
【補正対象書類名】明細書
【補正対象項目名】００６２
【補正方法】変更
【補正の内容】
【００６２】
図１０を引き続き参照すると、ユーザ機器（ＵＥ）６５０として示される移動局は、コンピュータにＰＤＵを構築させるためのコードのセットなどの手段を与えるコンピューティングプラットフォーム６５２を有する。特に、コンピューティングプラットフォーム６５２は、（１つまたは複数の）プロセッサ６７０によって実行される複数のモジュール６５６〜６６２を記憶するコンピュータ可読記憶媒体（たとえば、メモリ）６５４を含む。プロセッサ６７０によって制御される変調器６７２は、送信機６７４による変調のためにアップリンク信号を準備し、アップリンク信号は、６７７で示されるように（１つまたは複数の）アンテナ６７６によってｅＮＢ６００に発される。受信機６７８は、（１つまたは複数の）アンテナ６７６から、復調器６８０によって復調され、復号のためにプロセッサ６７０に与えられる、ｅＮＢ６００からのダウンリンク信号を受信する。特に、サービスデータユニット（ＳＤＵ）を受信し、記憶するための手段（たとえば、モジュール、コードのセット）６５６が設けられる。構築されるべきＰＤＵの長さ値と制約値とにアクセスするための手段（たとえば、モジュール、コードのセット）６５８が設けられる。長さ値を超えることなしに、記憶されたＳＤＵを順番に統合するための手段（たとえば、モジュール、コードのセット）６６０が設けられる。ＰＤＵの残りの部分を制約値と比較することに基づいて、長さ値に達するように、最後のＳＤＵをセグメント化することと、ＰＤＵをパディングすることと、のうちの一方を実行することを判断するための手段（たとえば、モジュール、コードのセット）６６２が設けられる。
【手続補正１１】
【補正対象書類名】明細書
【補正対象項目名】００６３
【補正方法】変更
【補正の内容】
【００６３】
図１２を参照すると、ＰＤＵを構築することを可能にするシステム８００が示されている。たとえば、システム８００は、少なくとも部分的にユーザ機器（ＵＥ）内に常駐することができる。システム８００は、機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム８００は、連携して動作することができる電気コンポーネントの論理グルーピング８０２を含む。たとえば、論理グルーピング８０２は、サービスデータユニット（ＳＤＵ）を受信し、記憶するための電気コンポーネント８０４を含むことができる。さらに、論理グルーピング８０２は、構築されるべきＰＤＵの長さ値と制約値とにアクセスするための電気コンポーネント８０６を含むことができる。さらに、論理グルーピング８０２は、長さ値を超えることなしに、記憶されたＳＤＵを順番に統合するための電気コンポーネント８０８を含むことができる。さらに、論理グルーピング８０２は、ＰＤＵの残りの部分を制約値と比較することに基づいて、長さ値に達するように、最後のＳＤＵをセグメント化することと、ＰＤＵをパディングすることと、のうちの一方を実行することを判断するための電気コンポーネント８１０を含むことができる。さらに、システム８００は、電気コンポーネント８０４および８０６に関連する機能を実行するための命令を保持するメモリ８１２を含むことができる。メモリ８１２の外部にあるものとして図示されているが、１つまたは複数の電気コンポーネント８０４、８０６および８０８は、メモリ８１２の内部に存在することができることを理解されたい。
【手続補正１２】
【補正対象書類名】明細書
【補正対象項目名】００６４
【補正方法】変更
【補正の内容】
【００６４】
図１１を参照すると、測定ギャップの使用を割り当て、有効にすることを可能にするシステム７００が示されている。たとえば、システム７００は、少なくとも部分的に基地局内に常駐することができる。システム７００は、機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム７００は、連携して動作することができる電気コンポーネントの論理グルーピング７０２を含む。たとえば、論理グルーピング７０２は、送信エンティティからパケットデータユニット（ＰＤＵ）をワイヤレスに受信し、記憶するための電気コンポーネント７０４を含むことができる。さらに、論理グルーピング７０２は、送信エンティティの動作を予測することによってサービスデータユニット（ＳＤＵ）のセグメント化とパディングとを限定的に復号するための電気コンポーネント７０６を含むことができる。さらに、論理グルーピング７０２は、送信エンティティがＰＤＵをどのように構築したかの知識のためのモデルを含むための電気コンポーネント７０８を含むことができる。さらに、システム７００は、電気的コンポーネント７０４、７０６および７０８に関連する機能を実行するための命令を保持するメモリ７１２を含むことができる。メモリ７１２の外部にあるものとして図示されているが、１つまたは複数の電気コンポーネント７０４、７０６および７０８は、メモリ８１２の内部に存在することができることを理解されたい。
【手続補正１３】
【補正対象書類名】明細書
【補正対象項目名】００６５
【補正方法】変更
【補正の内容】
【００６５】
図１４には、パケットデータユニット（ＰＤＵ）を構築するための装置１００２が示されている。サービスデータユニット（ＳＤＵ）を受信し、記憶するための手段１００４が設けられる。構築されるべきＰＤＵの長さ値と制約値とにアクセスするための手段１００６が設けられる。長さ値を超えることなしに、記憶されたＳＤＵを順番に統合するための手段１００８が設けられる。ＰＤＵの残りの部分を制約値と比較することに基づいて、長さ値に達するように、最後のＳＤＵをセグメント化することと、ＰＤＵをパディングすることと、のうちの一方を実行することを判断するための手段１０１０が設けられる。
【手続補正１４】
【補正対象書類名】明細書
【補正対象項目名】００６６
【補正方法】変更
【補正の内容】
【００６６】
図１３には、パケットデータユニット（ＰＤＵ）を復号するための装置９０２が示されている。送信エンティティからパケットデータユニット（ＰＤＵ）をワイヤレスに受信し、記憶するための手段９０４が設けられる。送信エンティティの動作を予測することによってサービスデータユニット（ＳＤＵ）のセグメント化とパディングとを限定的に復号するための手段９０６が設けられる。送信エンティティが、サービスデータユニット（ＳＤＵ）を受信し、記憶することと、構築されるべきＰＤＵの長さ値と制約値とにアクセスすることと、長さ値を超えることなしに、記憶されたＳＤＵを順番に統合することと、ＰＤＵの残りの部分を制約値と比較することに基づいて、長さ値に達するように、最後のＳＤＵをセグメント化することとＰＤＵをパディングすることとのうちの一方を実行することを判断することと、によって、どのようにＰＤＵを構築したと知られているかについての知識のための手段９０８が設けられる。
【手続補正１５】
【補正対象書類名】特許請求の範囲
【補正対象項目名】請求項１９
【補正方法】変更
【補正の内容】
【請求項１９】
パケットデータユニット（ＰＤＵ）を構築するためのコンピュータプログラムであって、
コンピュータに、サービスデータユニット（ＳＤＵ）を受信し、記憶させるためのコードの第１のセットと、
前記コンピュータに、構築されるべきＰＤＵの長さ値と制約値とにアクセスさせるためのコードの第２のセットと、
前記コンピュータに、前記長さ値を超えることなしに、記憶されたＳＤＵを順番に統合させるためのコードの第３のセットと、
前記コンピュータに、前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断させるためのコードの第４のセットと、
を備えるコンピュータプログラム。
【手続補正１６】
【補正対象書類名】特許請求の範囲
【補正対象項目名】請求項４３
【補正方法】変更
【補正の内容】
【請求項４３】
セグメント化またはパディングの長さを判断する前に下位レイヤヘッダオーバーヘッドを考慮することをさらに備える、請求項３７に記載の方法。
【手続補正１７】
【補正対象書類名】特許請求の範囲
【補正対象項目名】請求項４４
【補正方法】変更
【補正の内容】
【請求項４４】
パケットデータユニット（ＰＤＵ）を構築するためのコンピュータプログラムであって、
コンピュータに、送信エンティティからパケットデータユニット（ＰＤＵ）をワイヤレスに受信し、記憶させるためのコードの第１のセットと、
前記コンピュータに、送信エンティティの動作を予測することによってサービスデータユニット（ＳＤＵ）のセグメント化とパディングとを限定的に復号させるためのコードの第２のセットと、
を備え、
前記送信エンティティが、
サービスデータユニット（ＳＤＵ）を受信し、記憶することと、
構築されるべきＰＤＵの長さ値と制約値とにアクセスすることと、
前記長さ値を超えることなしに、記憶されたＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
によって、前記ＰＤＵを構築したことを知られる、
コンピュータプログラム。
【手続補正１８】
【補正対象書類名】図面
【補正対象項目名】図１０
【補正方法】変更
【補正の内容】
【図１０】
2011517904.tif 000001